(57)【要約】【課題】厚さが薄く、安価で上下方向の圧力に対して強い構造の光記録媒体収納体及びそれに光記録媒体を収納して冊子に添付した冊子を提供すること。【解決手段】中央にあるクランピングエリアが、上下の一方向に飛び出た形状の光記録媒体用の収納体であって、該光記録媒体のクランピングエリアの厚さと略等しい板状部材を用いて、前記光記録媒体より大きな略矩形の該板状部材を２枚連接して折り曲げ部とし、この連接した板状部材の折り曲げ方向と直交する任意の辺に糊代を連接して、前記折り曲げ部で折り曲げ前記糊代に接着剤を塗布して貼着し袋状の収納部とし、前記略矩形の板状部材の一方に前記クランピングエリアが入る貫通孔が設けられている光記録媒体収納体である。また、前記光記録媒体収納体を添付した冊子である。【選択図】図１
2004123168.tif 000002
【特許請求の範囲】
【請求項１】
中央にあるクランピングエリアが、上下の一方向に飛び出た形状の光記録媒体用の収納体であって、該光記録媒体のクランピングエリアの厚さと略等しい板状部材を用いて、前記光記録媒体より大きな略矩形の該板状部材を２枚連接して折り曲げ部とし、この連接した板状部材の折り曲げ方向と直交する任意の辺に糊代を連接して、前記折り曲げ部で折り曲げ前記糊代に接着剤を塗布して貼着し袋状の収納部とし、前記略矩形の板状部材の一方に前記クランピングエリアが入る貫通孔が設けられていることを特徴とする光記録媒体収納体。
【請求項２】
前記糊代を連接してある部分で折り曲げ、さらに折り曲げて袋状の収納部としたとき、前記糊代が２枚重なった状態となる請求項１記載の光記録媒体収納体。
【請求項３】
前記板状部材に設けられた前記貫通孔の周囲を残して、前記光記録媒体の周縁までの間に一つまたは複数の窓部を設けたことを特徴とする請求項１記載の光記録媒体収納体。
【請求項４】
前記板状部材が紙であることを特徴とする請求項１または請求項２記載の光記録媒体収納体。
【請求項５】
前記請求項１乃至請求項４の何れか一つに記載の光記録媒体収納体に前記光記録媒体を収納して添付した冊子。
【発明の詳細な説明】
【０００１】
【発明の属する技術分野】
本発明は光記録媒体収納体及びそれを添付した冊子に関するもので、特に薄形で中央のクランピングエリアが厚く、飛び出した形の光記録媒体に適した収納体に関する。
【０００２】
【従来の技術】
近年、光記録媒体はＣＤ（コンパクトディスク）に代わり記録容量の大きいＤＶＤ（デジタル・バーサタイル・ディスク）が急激に増加している。従来のＤＶＤ規格である０．６ｍｍのディスクを２枚貼り合わせ、全体が１．２ｍｍのディスクと再生の互換性を持たせた薄形の光記録媒体が開示されている。
例えば、特開２０００−１２３４１６号公報や特開２００１−３０７３７８号公報に開示されているように、本体の光記録媒体の厚さを０．６ｍｍとして中央のクランピングエリアのみＤＶＤ規格の１．２ｍｍにしてあるものである。これらは厚さが０．６ｍｍと従来のＣＤ、ＤＶＤの半分であり、今までと同じ収納方法で収納して、冊子等に添付すると破損等のトラブルが起こり易くなるという心配があった。
【０００３】
また、従来の収納方法は、ＣＤ、ＤＶＤ等の光記録媒体をプラスチックケースに収納したり、厚紙でしっかり凹部を形成し、その凹部に前記光記録媒体を収納するものであり、厚さが厚過ぎたり費用がかかり過ぎすぎるという問題点があった。
そこで、近年は光記録媒体のプレス代等の製造単価が下がり、光記録媒体自体が安価になるに伴い、収納体も簡単なものになってきた。例えば、特開平７−１１７３７８号公報には、「折丁及びその製造方法」ということで、用紙に接着剤を塗布して該用紙を折り曲げて袋状にし、ＣＤを入れて封止して、中綴じ本の任意の頁に貼り付けることが開示されている。また、特開平７−１１７３７８号公報の従来技術には、図１２を示し、袋に収納されたＣＤが本の頁に貼り付けられたものが開示されている。単に袋に入れるだけでは、従来の光記録媒体の半分の厚さで、段差のある構造であるので上下方向から圧力がかかった場合破損等のトラブルとなる心配があった。
【０００４】
【発明が解決しようとする課題】
本発明は、以上の問題点を解決すべく、厚さが薄く、安価で上下方向の圧力に対して強い構造の光記録媒体収納体及びそれに光記録媒体を収納して冊子に添付した冊子を提供することを課題とする。
【０００５】
【課題を解決するための手段】
請求項１に記載の発明は、中央にあるクランピングエリアが、上下の一方向に飛び出た形状の光記録媒体用の収納体であって、該光記録媒体のクランピングエリアの飛び出た厚さと略等しい板状部材を用いて、前記光記録媒体より大きな略矩形の該板状部材を２枚連接して折り曲げ部とし、この連接した板状部材の折り曲げ方向と直交する任意の辺に糊代を連接して、前記折り曲げ部で折り曲げ前記糊代に接着剤を塗布して貼着し袋状の収納部とし、前記略矩形の板状部材の一方に前記クランピングエリアが入る貫通孔が設けられている光記録媒体収納体である。
このような構成としたので、光記録媒体の飛び出たクランピングエリアが貫通孔に収まり、前記折り曲げて接着した糊代の厚さ分の前記収納部に前記光記録媒体が略固定され収納される。前記貫通孔はクランピングエリアより一回り大きいサイズが好ましい。
【０００６】
請求項２に記載の発明は、前記糊代を連接してある部分で折り曲げ、さらに折り曲げて袋状の収納部としたとき、前記糊代が２枚重なった状態となる請求項１記載の光記録媒体収納体である。
このような構成としたので、前記クランピングエリアの飛び出た厚さが光記録媒体のクランピングエリア以外の厚さの約半分でも、糊代の厚さが倍になるので、前記収納部の収納スペースが十分となる。前記糊代の厚さは光記録媒体収納体を積み重ねたとき、光記録媒体にかかる荷重を弱める働きがある。
【０００７】
請求項３に記載の発明は、前記板状部材に設けられた前記貫通孔の周囲を残して、前記光記録媒体の周縁までの間に一つまたは複数の窓部を設けたことを特徴とする請求項１または請求項２に記載の光記録媒体収納体である。
このような構成としたので、前記板状部材が不透明の部材であっても、光記録媒体に印刷してあるタイトルや画像等の情報を見ることが可能となる。
【０００８】
請求項４に記載の発明は、前記板状部材が紙であることを特徴とする請求項１乃至請求項３の何れか一つに記載の光記録媒体収納体である。
このような構成としたので、安価でリサイクルが容易な上記した作用効果を奏する光記録媒体を得ることが可能となる。また、印刷もプラスチック部材等の他の部材と比較して行い易い。
【０００９】
請求項５に記載の発明は、前記請求項１乃至請求項４の何れか一つに記載の光記録媒体収納体に前記光記録媒体を収納して添付した冊子である。
このような構成としたので、冊子に添付して、該冊子を積み上げても、荷重を収納した光記録媒体の一部に集中することがなく、平らな状態で分散できる。
また、糊代で荷重を受けることで、光記録媒体への付加を減らすことができる。
【００１０】
【発明の実施の形態】
図面を用いて本発明の実施の形態を説明する。
図１は本発明の光記録媒体を収納した状態の記録媒体収納体の正面説明図である。図２は図１のＡ−Ａ断面説明図である。１は光記録媒体収納体、２は光記録媒体、３はクランピングエリア、４は板状部材、５は折り曲げ部、６は糊代、７は貫通孔、８は窓部、９は封止部材、１０は収納部である。光記録媒体収納体１は板状部材４が光記録媒体２を挟んで２枚ある。糊代６は上下の何れかの板状部材の左右の辺に連接され、その連接部で折り曲げられて接着剤を塗布され、折り曲げ部５で折り曲げられた２枚の板状部材４が収納部１０を形成すべく接着される。封止部材９は光記録媒体１を収納後封止する場合に板状部材４の開口となる端辺に連接される。封止部材９は連接される場合もあるが連接しない場合もある。封止部材９を連接しないで、開口部にシール、テープ等の部材を貼着してもよい。
【００１１】
貫通孔７は、クランピングエリア３が容易に入る大きさで、余裕があり過ぎると光記録媒体１が動きよくない。円であればクランピングエリア１の直径より０．２〜５ｍｍの範囲が好ましい。しかしこれらに限定されない。正方形であれば一辺の長さがクランピングエリアの直径より０．２ｍｍ〜５ｍｍの範囲が好ましく、多角形、楕円や不定形の場合でも直径との差が狭い所が上記の範囲になることが好ましい。要は光記録媒体１が略固定されればよいのであって、糊代６や折り曲げ部５及び開口端部との関係もある。すなわち、光記録媒体２の周縁が糊代６や折り曲げ部５、開口封止部等で略固定されてもよい。
【００１２】
窓部８は、板状部材４が不透明の場合、収納する光記録媒体２の印刷してある情報等を目視可能とするものである。見せたい部分の大きさ、位置等を考慮して、窓部８の必要な大きさと位置を決めれば良い。図１の例は窓部８を４つ設けた例である。
【００１３】
板状部材４は、プラスチックシート、合成紙、紙、それらの積層体等、袋状になり、収納部を形成可能なものであれば使用可能である。しかし、環境に優しい、安価で製造し易い等を考慮すると紙が好ましい。
【００１４】
図３は、光記録媒体収納体１にクランピングエリア３の飛び出た厚さが、光記録媒体１のクランピングエリア３以外の厚さの約半分の場合の変形例を示す図１のＡ−Ａ断面説明図である。板状部材４が前記光記録媒体１のクランピングエリア３以外の厚さの約半分であるので、前記収納部の糊代の厚さが、通常の一回折り曲げでは半分になる。そこで２回折り曲げして倍の厚さにしたものである。折り曲げ方は同じ方向に２回おりまげても、１回折り曲げて逆方向に折り曲げ、くの字状にしてもよい。必要により２回を越えて折り曲げてもよいが、２回程度が好ましい。３回以上は工程が複雑になることと強度的に不安定になる。
【００１５】
図４は、本発明の光記録媒体収納体１に収納するタイプの光記録媒体２の斜視説明図である。１１は印刷面、１２は読取り側である。中央にクランピングエリア３が上方に出っ張っている。これは例としてＤＶＤ薄形ディスクを示している。ＤＶＤディスクの規格は０．６ｍｍの円板を２枚貼り合わせて１．２ｍｍの厚さであるが、材料費や工程を省略した０．６ｍｍの円板に、プレイヤーのクランプに合わせたクランピングエリア３のみ１．２ｍｍにしたものが出てきた。
本発明は図４に示したような薄形の光記録媒体２に適した光記録媒体収納体を提供するものである。光記録媒体２としては、ＣＤ、ＤＶＤ、ＭＯ、ＭＤとうが挙げられるが限定されるものではない。
また、上記規格から外れて、クランピングエリアの飛び出た厚さが、約半分のものも考えられており、その場合は、図３の形態にすることが好ましい。
【００１６】
図５は、冊子１３に本発明の光記録媒体収納体１を添付した状態を示す説明図である。
ここで、冊子１３としては、本、雑誌、書籍、チラシ、パンフレット、カタログ等が含まれる。添付とは、貼着、綴じ込み、挟み込み、冊子と合わせてラッピング等してもよい。
【００１７】
【発明の効果】
請求項１に記載の発明は、光記録媒体の飛び出たクランピングエリアが貫通孔に収まり、前記折り曲げて接着した糊代の厚さ分の前記収納部に前記光記録媒体が略固定され収納される。
【００１８】
請求項２に記載の発明は、前記クランピングエリアの飛び出た厚さが光記録媒体のクランピングエリア以外の厚さの約半分でも、糊代の厚さが倍になるので、前記収納部の収納スペースが十分となる。前記糊代の厚さは光記録媒体収納体を積み重ねたとき、光記録媒体にかかる荷重を弱める働きがある。
【００１９】
請求項３に記載の発明は、前記板状部材が不透明の部材であっても、光記録媒体に印刷してあるタイトルや画像等の情報を見ることが可能となる。
【００２０】
請求項４に記載の発明は、安価でリサイクルが容易な上記した作用効果を奏する光記録媒体を得ることが可能となる。また、印刷もプラスチック部材等の他の部材と比較して行い易い。
【００２１】
請求項５に記載の発明は、冊子に添付して、該冊子を積み上げても、荷重を収納した光記録媒体の一部に集中することがなく、平らな状態で分散できる。
また、糊代で荷重を受けることで、光記録媒体への付加を減らすことができる。
【図面の簡単な説明】
【図１】本発明の光記録媒体を収納した状態の記録媒体収納体の正面説明図である。
【図２】図１のＡ−Ａ断面説明図である。
【図３】図２と別構成の図１のＡ−Ａ断面説明図である。
【図４】本発明の光記録媒体収納体に収納するタイプの光記録媒体の斜視説明図である。
【図５】冊子に本発明の光記録媒体収納体を添付した状態を示す説明図である。
【符号の説明】
１…光記録媒体収納体　２…光記録媒体　３…クランピングエリア　４…板状部材　５…折り曲げ部　６…糊代　７…貫通孔　８…窓部　９…封止部材　１０…収納部　１１…印刷面　１２…読取り側　１３…冊子
【図１】
2004123168.tif 000003
【図２】
2004123168.tif 000004
【図３】
2004123168.tif 000005
【図４】
2004123168.tif 000006
【図５】
2004123168.tif 000007